(57)【要約】【課題】ノズル部から噴出される風量が低下しても乾燥性能を低下する前と同レベルに維持することができることを目的とする。【解決手段】ノズル部２から噴出される風量が低下したときに、ノズル部往復手段３の往復回数を増加させる構成にしたことにより、手から水を往復方向に吹き飛ばす回数を多くすることができるので、ノズル部２から噴出される風量が低下しても乾燥性能を風量低下する前と同レベルに維持することができる手乾燥装置を得られる。【選択図】図１
2013085732.tif 000002
【特許請求の範囲】
【請求項１】
手を乾燥させる手乾燥空間へ空気を送出するノズル部と、前記ノズル部から出る噴流を往復運動させる往復手段と、前記ノズル部へ空気を送出する複数のファンモータと、前記ファンモータを支えるモータケーシングと、外郭を形成する本体ケーシングとで構成し、前記ファンモータにより空気を送出するための吸気口を備え、前記ファンモータの風量をコントロールする制御手段を備えた手乾燥装置であって、前記風量制御手段によって風量を低下させたときに、前記ノズル部の往復手段の往復回数を増加させることを特徴とする手乾燥装置。
【請求項２】
本体ケーシングに設置されたモード切り替えが可能なスイッチを設け前記スイッチによって、風量制御手段によるファンモータの風量が切り替わるとき、ノズル部の往復手段の往復回数が予め決めた設定値に変更することを特徴とする請求項１に記載の手乾燥装置。
【請求項３】
風量を変更させるボリュームスイッチを設け、ノズル部の風量を前記ボリュームスイッチによってリニアに切り替わるとき、前記ノズル部の往復手段の往復回数を対応させてリニアに変化することを特徴とする請求項２に記載の手乾燥装置。
【請求項４】
本体の経年劣化によって風漏れ等の風量低下が起きたとき、ノズル部の往復手段往復回数が増加することを特徴としる請求項１に記載の手乾燥装置。
【請求項５】
ファンモータをコントロールする制御手段によって風量を時間経過で低下させたとき、ノズル部の往復回数を時間経過で増加させることを特徴とする請求項１に記載の手乾燥装置。
【発明の詳細な説明】
【技術分野】
【０００１】
本発明は、手乾燥装置に関するものである。
【背景技術】
【０００２】
従来、手乾燥装置は吸気口からモータを経て吸入された空気をノズルから送出し、手を乾燥させるものであるが、さらに手の高速乾燥を実現する方法としては、ノズルから出てくる噴流を高速で往復運動させるものが知られている（例えば、特許文献１参照）。
【０００３】
図４に示すように、ノズル部１０１はノズル部往復手段１０２に接続されており、ノズル部１０１を往復運動させることで、手乾燥空間１０３へ噴流速度を確保したまま広く手に風を当て、乾燥ムラなく手乾燥を行うことができる。
【先行技術文献】
【特許文献】
【０００４】
【特許文献１】特開２００８−８０１００号公報
【発明の概要】
【発明が解決しようとする課題】
【０００５】
このような従来の手乾燥装置においては、ノズルから噴出される風量が低下すると乾燥性能が低下するという課題を有していた。
【０００６】
そこで本発明は、上記従来の課題を解決するものであり、ノズルから噴出される風量が低下しても乾燥性能を低下する前と同レベルに維持することができる手乾燥装置を提供することを目的とする。
【課題を解決するための手段】
【０００７】
そして、この目的を達成するために、本発明は風量制御手段によって風量を低下させたときに、ノズル部の往復手段の往復回数を増加させたものであり、これにより所期の目的を達成するものである。
【発明の効果】
【０００８】
本発明によれば、前記風量制御手段によって風量を低下させたときに、前記ノズル部の往復手段の往復回数を増加させたことにより、手に付着した水をノズル往復方向に吹き飛ばす回数が増えるので、ノズルから噴出される風量が低下させても乾燥性能を低下する前と同レベルに維持できるという効果を得ることができる。
【図面の簡単な説明】
【０００９】
【図１】本発明の実施の形態１の手乾燥装置の構成を示す縦断面模式図
【図２】本発明の実施の形態２の手乾燥装置の構成を示す縦断面模式図
【図３】同手乾燥装置の動作を示す図
【図４】本発明の実施の形態３の手乾燥装置の構成を示す縦断面模式図
【図５】同手乾燥装置の動作を示す図
【図６】従来の手乾燥装置の構成を示す模式図
【発明を実施するための形態】
【００１０】
本発明の請求項１記載の手乾燥装置は、手を乾燥させる手乾燥空間へ空気を送出するノズル部と、前記ノズル部から出る噴流を往復運動させる往復手段と、前記ノズル部へ空気を送出する複数のファンモータと、前記ファンモータを支えるモータケーシングと、外郭を形成する本体ケーシングとで構成し、前記ファンモータにより空気を送出するための吸気口を備え、前記ファンモータの風量をコントロールする制御手段を備えた手乾燥装置であって、前記風量制御手段によって風量を低下させたときに、前記ノズル部の往復手段の往復回数を増加させるという構成を有する。これにより、手に付着した水をノズル往復方向へ吹き飛ばす回数が増えるので、ノズルから噴出される風量が低下しても乾燥性能を低下する前と同レベルに維持することができるという効果を奏する。
【００１１】
また、本体ケーシングに設置されたモード切り替えが可能なスイッチを設け前期スイッチによって、風量制御手段によるファンモータの風量が切り替わるとき、ノズル部の往復手段の往復回数が予め決めた設定値に変更するという構成にしてもよい。これにより、スイッチによって切り替わる各設定値の風量に対して、風量の大小とノズル往復手段の往復回数の大小が反比例の関係となるように設定するので、ノズル部の風量を切り替えても、乾燥性能を維持するという効果を奏する。
【００１２】
また、風量を変更させるボリュームスイッチを設け、ノズル部の風量を前記ボリュームスイッチによってリニアに切り替わるとき、前記ノズル部の往復手段の往復回数を対応させてリニアに変化するという構成にしてもよい。これにより、リニアに変化するノズル部の風量に対して、ノズル部の往復手段の往復回数を反比例の関係でリニアに変化させるとなるので、スイッチによって可変するいずれの風量においても、乾燥性能を維持するという効果を奏する。
【００１３】
また、本体の経年劣化によって風漏れ等の風量低下が起きたとき、ノズル部の往復手段往復回数が増加するという構成にしてもよい。これにより、内部風路の劣化等の原因で、風漏れが発生した際にファンモータをコントロールする制御手段において、モータ電流を監視して風量変化の検出を行い、ノズル往復手段の往復回数を上げることとなるので、経年劣化が起きても、乾燥性能を維持するという効果を奏する。
【００１４】
また、ファンモータをコントロールする制御手段によって風量を時間経過で低下させたとき、ノズル部の往復回数を時間経過で増加させるという構成にしてもよい。これにより、最初に大風量で手に付着した水滴を吹き飛ばした後、風量を落とし且つノズルを高速で往復させるので、必乾燥の効率化と消費電力の低減化を図ることができる。
【００１５】
以下、本発明の実施の形態について図面を参照しながら説明する。
【００１６】
（実施の形態１）
図１に示すように、手を乾燥させる手乾燥空間１は複数の空気を送出するノズル部２によって囲まれて形成されており、使用時に手の挿入がしやすい上面を開放している。前記手乾燥空間１はＡＢＳ樹脂を用い、各種の添加剤を添加することで難燃性や耐薬性等の付加価値を持たせている。前記ノズル部２には手の高速乾燥を達成するためにノズル先端を往復運動させるノズル部往復手段３が備わっている。この方法の一つとしてモータとクランクを用いて回転運動から往復運動を作り出し、シリコン等でできた弾力性のあるゴムをノズルとして連結して、可動可能な空気送出口として使用する方法がある。ノズル部２からの噴流を左右に振らせる事で、噴流到達位置の広範囲をカバーするとともに、手に付いた水滴をノズルの往復方向に剥離させながら拭い取っている。前記ノズル部２へ空気を送出する複数のファンモータ４は大風量を必要としており高圧高回転のＡＣ整流子モータを用いている。ファンモータとしては、使用寿命の長いＤＣブラシレスモータの使用も可能である。前記ファンモータ４を支えるモータケーシング５はゴム等を用いて送風経路以外を完全密閉しており、高い圧力と熱を発生する安全面の考慮からガラス入りのＰＢＴ等を用いるのが望ましい。これらの外郭は本体ケーシング６で形成されており、ファンモータ４により空気を送出するための吸気口７を備えている。ファンモータ４の風量は、電源基板を介して位相制御等のパルスのコントロールが可能なマイコン等の制御手段８が備わっている。制御手段８は手乾燥装置全ての動作をコントロールしており、ノズル部往復手段３もコントロールが可能である。
【００１７】
このような構成によれば、ファンモータ４の風量が低下したときにノズルの往復回数を増加させることによって、手から水をノズル噴流が往復する方向に吹き飛ばす回数を多くすることができるため、風量が低く一度に少量しか水を飛ばせなくても手を乾燥することが可能となり、低風量でも乾燥性能を同レベルに維持することができる。
【００１８】
なお、実施の形態において、手乾燥装置の形態を複数のノズル部２を持つものを例としたが、単一のノズル部２のみで構成された、コンパクトタイプの手乾燥装置に適用しても良い。
【００１９】
また、ファンモータの制御手段８によって風量を一定時間経過、すなわち、手を乾燥させる時間経過後低下させて、ノズル部の往復回数を時間経過で増加させるに使用してもよい。手乾燥装置を長時間使用した時に主要な電源消費元であるファンモータの風量を低減することとなるので、手乾燥の効率化と消費電力の低減化を図ることができる。
【００２０】
（実施の形態２）
図２において、図１と同様の構成要素については同一の符号を付し、その詳細な説明は省略する。
【００２１】
図２およびその図３の動作を示すチャート図は、風量をコントロールする風量切替スイッチ９を付加した手乾燥装置を示し、図２において風量切替スイッチ９はファンモータ４をコントロールする制御手段８を利用して風量のコントロールを行い、切り替わった風量によってノズル部往復手段３が往復回数を連動してコントロールする。ノズル部往復手段３は風量が低下したときに往復回数を増加させ、風量が上昇したときに往復回数を減少させる。
【００２２】
上記構成において、通常の使用の風量に対して低い風量時にノズルの往復回数を過大に往復させると、駆動騒音の発生とノズル部往復手段３の耐久性の観点から好ましくないため、あらかじめ使用環境を想定した乾燥性能とのバランスで設定することができる。
【００２３】
なお、風量を切り替えるスイッチは切替スイッチのような固定値に変化させるものだけでなく、例えばボリュームスイッチのような無段階で風量変化できるものを利用して、結果をフィードバックしながらノズルの往復回数を無段階にコントロールしてもよい。
【００２４】
（実施の形態３）
図４および図５のチャート図は、ファンモータ４の電流検出手段１０を備えた手乾燥装置であって、電流の変化値を監視することで風路の風漏れを検出できる。これは電流検出手段１０が電流変化を計測したとき、風路の風漏れによってファンモータ４の仕事が落ちているためである。
【００２５】
上記構成において、経年劣化等で風漏れを検出した手乾燥装置はノズル部往復手段３の往復回数を増加させることで、本体乾燥性能を損なうことなく使用し続けることができる。
【００２６】
また、劣化による風漏れ検出手段としてファンモータの電流変化を監視したが、風漏れの検出手段は内部風路の内圧監視でもよい。
【産業上の利用可能性】
【００２７】
本発明にかかる手乾燥装置は、パーツ劣化等で風量変化を起こしても乾燥性能の維持を可能とするものであるので、長期に渡り使用される場所で設置される乾燥手段として有用である。
【符号の説明】
【００２８】
１    手乾燥空間
２    ノズル部
３    ノズル部往復手段
４    ファンモータ
５    モータケーシング
６    本体ケーシング
７    吸気口
８    制御手段
９    風量切替スイッチ
１０  電流検出手段
【図１】
2013085732.tif 000003
【図２】
2013085732.tif 000004
【図３】
2013085732.tif 000005
【図４】
2013085732.tif 000006
【図５】
2013085732.tif 000007
【図６】
2013085732.tif 000008